(57)【特許請求の範囲】
【請求項１】
冷媒を供給する冷媒供給部と、
表面側と裏面側との間に前記冷媒の流路が設けられた可撓性を有するシート部材であって、前記表面側と前記裏面側とのうち少なくとも一方の面がシリコンで形成されたシート部材、を有する冷却部と、
前記冷媒供給部から前記冷却部に前記冷媒を輸送する経路を有する輸送部と、
を備え、
前記シート部材は、
前記冷媒を輸送する流路チューブと、前記流路チューブを前記表面側から覆う表面側シートと、前記流路チューブを前記裏面側から覆う裏面側シートと、を有し、
前記表面側シートと前記裏面側シートとが重ね合わせされた部分を、着脱可能な複数の留具で留めることによって形成されており、
前記留具を外すことにより、前記表面側シートと前記裏面側シートとを離脱させることが可能であり、
前記流路チューブは、前記留具にガイドされることによって曲げられた曲げ部を有しており、前記複数の留具のうち所定の留具を選択し、選択された前記留具を基準として前記流路チューブの前記曲げ部の位置を変更することが可能であり、
前記流路チューブの曲げ部の位置を変更した後で、前記留具を留めることによって、前記流路チューブの配置及び流路面積を自在に変更して維持することが可能である、ことを特徴とする冷却装置。
【請求項２】
請求項１に記載の冷却装置であって、
前記冷却部は前記シート部材を複数有し、
前記輸送部は、前記冷媒供給部から第１のシート部材に前記冷媒を輸送する経路と、前記冷媒供給部から第２のシート部材に前記冷媒を輸送する経路とを有する、ことを特徴とする冷却装置。
【請求項３】
請求項１または２に記載の冷却装置であって、
前記シート部材の表面側及び裏面側のうち前記シリコンで形成された面の外側表面には、複数の突起部が設けられている、ことを特徴とする冷却装置。
【請求項４】
請求項１〜３のいずれかに記載の冷却装置であって、
前記冷媒は気体であり、
前記冷媒供給部は、圧縮された前記気体を噴出する携帯型スプレーを有し、
前記携帯型スプレーから噴出された前記気体は、前記シート部材に形成された前記流路内を通過する際に膨張する、ことを特徴とする冷却装置。
【請求項５】
請求項１〜４のいずれかに記載の冷却装置であって、
前記冷媒は液体であり、
前記輸送部は前記冷却部から前記冷媒供給部に前記液体を輸送する経路を有し、
前記冷媒供給部は、前記液体及び前記液体を冷却する冷却材を貯留する貯留部と、前記貯留部と前記冷却部との間で前記液体を循環させるポンプ部とを有する、ことを特徴とする冷却装置。
【請求項６】
請求項５に記載の冷却装置であって、
前記冷媒は水であり、
前記冷却材は氷である、ことを特徴とする冷却装置。
【請求項７】
冷媒を供給する冷媒供給部と、
表面側と裏面側との間に前記冷媒の流路が設けられた可撓性を有するシート部材であって、前記表面側と前記裏面側とのうち少なくとも一方の面がシリコンで形成されたシート部材、を有する冷却部と、
前記冷媒供給部から前記冷却部に前記冷媒を輸送する輸送管を有する輸送部と、
を備えた冷却用着用物品であって、
前記シート部材のうち前記シリコンで形成された面が着用者の肌側と対向するように、前記冷却部が着脱可能に取り付けられており、
前記シート部材は、
前記冷媒を輸送する流路チューブと、前記流路チューブを前記表面側から覆う表面側シートと、前記流路チューブを前記裏面側から覆う裏面側シートと、を有し、
前記表面側シートと前記裏面側シートとが重ね合わせされた部分を、着脱可能な複数の留具で留めることによって形成されており、
前記留具を外すことにより、前記表面側シートと前記裏面側シートとを離脱させることが可能であり、
前記流路チューブは、前記留具にガイドされることによって曲げられた曲げ部を有しており、前記複数の留具のうち所定の留具を選択し、選択された前記留具を基準として前記流路チューブの前記曲げ部の位置を変更することが可能であり、
前記流路チューブの曲げ部の位置を変更した後で、前記留具を留めることによって、前記流路チューブの配置及び流路面積を自在に変更して維持することが可能である、
ことを特徴とする冷却用着用物品。
【請求項８】
熱媒体を供給する熱媒体供給部と、
表面側と裏面側との間に前記熱媒体の流路が設けられた可撓性を有するシート部材であって、前記表面側と前記裏面側とのうち少なくとも一方の面がシリコンで形成されたシート部材、を有する熱交換部と、
前記熱媒体供給部から熱交換部に前記熱媒体を輸送する経路を有する輸送部と、
を備え、
前記シート部材は、
前記熱媒体を輸送する流路チューブと、前記流路チューブを前記表面側から覆う表面側シートと、前記流路チューブを前記裏面側から覆う裏面側シートと、を有し、
前記表面側シートと前記裏面側シートとが重ね合わせされた部分を、着脱可能な複数の留具で留めることによって形成されており、
前記留具を外すことにより、前記表面側シートと前記裏面側シートとを離脱させることが可能であり、
前記流路チューブは、前記留具にガイドされることによって曲げられた曲げ部を有しており、前記複数の留具のうち所定の留具を選択し、選択された前記留具を基準として前記流路チューブの前記曲げ部の位置を変更することが可能であり、
前記流路チューブの曲げ部の位置を変更した後で、前記留具を留めることによって、前記流路チューブの配置及び流路面積を自在に変更して維持することが可能である、
ことを特徴とする加熱装置。
【発明の詳細な説明】
【技術分野】
【０００１】
本発明は、冷却装置、冷却用着用物品、及び加熱装置に関する。
【背景技術】
【０００２】
空調設備等の無い環境下で活動する人間（作業者）の体温を適当に調整するため、作業者毎に個別に用いられる携帯型の冷暖房装置がある。特に、近年では、高温の室内や炎天下で作業を行なう際に作業者が熱中症になるのを防止するための携帯型冷却装置が注目されている。
【０００３】
例えば特許文献１には、冷却面としてペルチェ素子を用い、当該冷却面を装着者の血管に沿って粘着テープ等で張り付けることにより、人体と冷却面との間で熱交換を行うことが可能な携帯型冷却装置が記載されている。
【先行技術文献】
【特許文献】
【０００４】
【特許文献１】特開２０１０−８２４２７号公報
【発明の概要】
【発明が解決しようとする課題】
【０００５】
特許文献１に記載の携帯型冷却装置では、冷却面がペルチェ素子によって構成されているため、装着者の身体への良好なフィット性や良好な肌触りを実現することが難しい。また、ペルチェ素子を冷却面として加工する必要が生じるため、製造に手間がかかり、コストも高くなる。さらに、冷却面のサイズや形状を変更することが簡単ではないため、十分な汎用性を得ることが難しい。
【０００６】
本発明は、上記のような問題に鑑みてなされたものであって、その目的とするところは、肌触りが良くフィット性の高い冷却面を有し、低コストで容易に製造可能な携帯型冷却装置を提供することにある。
【課題を解決するための手段】
【０００７】
上記目的を達成するための主たる発明は、冷媒を供給する冷媒供給部と、表面側と裏面側との間に前記冷媒の流路が設けられた可撓性を有するシート部材であって、前記表面側と前記裏面側とのうち少なくとも一方の面がシリコンで形成されたシート部材、を有する冷却部と、前記冷媒供給部から前記冷却部に前記冷媒を輸送する経路を有する輸送部と、を備え、前記シート部材は、前記冷媒を輸送する流路チューブと、前記流路チューブを前記表面側から覆う表面側シートと、前記流路チューブを前記裏面側から覆う裏面側シートと、を有し、前記表面側シートと前記裏面側シートとが重ね合わせされた部分を、着脱可能な複数の留具で留めることによって形成されており、前記留具を外すことにより、前記表面側シートと前記裏面側シートとを離脱させることが可能であり、前記流路チューブは、前記留具にガイドされることによって曲げられた曲げ部を有しており、前記複数の留具のうち所定の留具を選択し、選択された前記留具を基準として前記流路チューブの前記曲げ部の位置を変更することが可能であり、前記流路チューブの曲げ部の位置を変更した後で、前記留具を留めることによって、前記流路チューブの配置及び流路面積を自在に変更して維持することが可能である、ことを特徴とする冷却装置である。
【０００８】
本発明の他の特徴については、後述する明細書及び図面の記載により明らかにする。
【発明の効果】
【０００９】
本発明によれば、肌触りが良くフィット性の高い冷却面を有し、低コストで容易に製造可能な携帯型冷却装置を提供することができる。
【図面の簡単な説明】
【００１０】
【図１】第１実施形態の冷却装置１の全体構成を表す図である。
【図２】冷却装置１の使用例について説明する図である。
【図３】第１シート部材３１の構成について説明する分解図である。
【図４】図４Ａ及び図４Ｂは、流路チューブ３１３及び留具３１５の配置について説明する図である。
【図５】第１シート部材３１の変形例について示す図である。
【図６】図５のシート部材の使用例について説明する図である。
【図７】第２実施形態の冷却装置１の全体構成を表す図である。
【図８】図８Ａは、冷却装置１を取り付けた冷却ベスト５の外観斜視図である。図８Ｂは、冷却ベスト５における冷却部３０の配置について説明する図である。
【図９】冷却部３０の第１シート部材３１が一体的に形成される場合の例について説明する図である。
【発明を実施するための形態】
【００１１】
後述する明細書及び図面の記載から、少なくとも以下の事項が明らかとなる。
冷媒を供給する冷媒供給部と、表面側と裏面側との間に前記冷媒の流路が設けられた可撓性を有するシート部材であって、前記表面側と前記裏面側とのうち少なくとも一方の面がシリコンで形成されたシート部材、を有する冷却部と、前記冷媒供給部から前記冷却部に前記冷媒を輸送する経路を有する輸送部と、を備えることを特徴とする冷却装置。
これにより、肌触りが良くフィット性の高い冷却面を有し、低コストで容易に製造可能な携帯型冷却装置を提供することができる。
【００１２】
かかる冷却装置であって、前記冷却部は前記シート部材を複数有し、前記輸送部は、前記冷媒供給部から第１のシート部材に前記冷媒を輸送する経路と、前記冷媒供給部から第２のシート部材に前記冷媒を輸送する経路とを有する、ことが望ましい。
このような冷却装置によれば、複数のシート部材（冷却面）を一度に冷却することが可能であることにより、冷却装置の応用範囲を広くすることができる。例えば、異なる部位を一度に冷却したり、冷却性能を落とすことなく冷却可能な領域（冷却面積）を広げたりすることができる。
【００１３】
かかる冷却装置であって、前記シート部材は、前記冷媒を輸送する流路チューブと、前記流路チューブを前記表面側から覆う表面側シートと、前記流路チューブを前記裏面側から覆う裏面側シートと、を有する、ことが望ましい。
このような冷却装置によれば、表面・裏面側シート（シリコンシート）及び流とチューブ（シリコンチューブ）によって冷却部をシンプルに構成することができるため、冷却部を容易に製造することができる。また、特別な製造設備等が不要であり、部品のコストも低く抑えることができる。
【００１４】
かかる冷却装置であって、前記シート部材は、前記表面側シートと前記裏面側シートとが重ね合わせされた部分を、着脱可能な留具で留めることによって形成されており、前記留具を外すことにより、前記表面側シートと前記裏面側シートとの間で前記流路チューブの配置を自在に変更することが可能である、ことが望ましい。
このような冷却装置によれば、特別な道具や技術を要することなく、簡単に流路チューブのルートを変更することができる。冷媒が輸送されるルートを変更することにより、熱交換可能な領域の大きさを増減させ、冷却性能を自由に調整することができる。
【００１５】
かかる冷却装置であって、前記シート部材の表面側及び裏面側のうち前記シリコンで形成された面の外側表面には、複数の突起部が設けられている、ことが望ましい。
このような冷却装置によれば、冷却面の表面に形成された複数の突起部が、使用者の肌と冷却面との間に適度な隙間を形成して、冷却面が使用者の肌に密着することを抑制することができる。これにより、シリコン特有の表面がべたついたようなタック感を感じにくくし、使用者に不快感を生じにくくさせることができる。
【００１６】
かかる冷却装置であって、前記冷媒は気体であり、前記冷媒供給部は、圧縮された前記気体を噴出する携帯型スプレーを有し、前記携帯型スプレーから噴出された前記気体は、前記シート部材に形成された前記流路内を通過する際に膨張する、ことが望ましい。
このような冷却装置によれば、冷媒供給部として小型軽量な携帯型コールドスプレー等を使用することにより、安価で携帯性に優れた冷却装置を実現できる。携帯性が良好であるため、例えば、スポーツやレジャー等に好適である。
【００１７】
かかる冷却装置であって、前記冷媒は液体であり、前記輸送管は前記冷却部から前記冷媒供給部に前記液体を輸送する経路を有し、前記冷媒供給部は、前記液体及び前記液体を冷却する冷却材を貯留する貯留部と、前記貯留部と前記冷却部との間で前記液体を循環させるポンプ部とを有する、ことが望ましい。
このような冷却装置によれば、液体を循環させることで、冷却効率の高い冷却装置を実現できる。また、液体を冷却するための冷却材を入れ替えるだけで、冷媒を交換せずとも長時間の使用が可能となる。長時間にわたって効率的な冷却動作を持続させることが可能となるため、炎天下の工事現場や水枕としての使用に好適である。
【００１８】
かかる冷却装置であって、前記冷媒は水であり、前記冷却材は氷である、ことが望ましい。
このような冷却装置によれば、冷媒、冷却材とも安全な物質を使用することにより、人体に害を与える可能性の低い安全な冷却装置を提供できる。また、冷媒、冷却材とも安価で入手が容易であることから、低コストで気軽に使用することができる。
【００１９】
また、冷媒を供給する冷媒供給部と、表面側と裏面側との間に前記冷媒の流路が設けられた可撓性を有するシート部材であって、前記表面側と前記裏面側とのうち少なくとも一方の面がシリコンで形成されたシート部材、を有する冷却部と、前記冷媒供給部から前記冷却部に前記冷媒を輸送する輸送管を有する輸送部と、を備えた冷却用着用物品であって、前記シート部材のうち前記シリコンで形成された面が着用者の肌側と対向するように、前記冷却部が着脱可能に取り付けられる、ことを特徴とする冷却用着用物品が明らかとなる。
これにより、安価で製造が容易であり、通常の衣服と同様に着用することによって所望の部位を容易に冷却することが可能な冷却用着用物品を提供することができる。また、このような冷却用着用物品であれば、冷却面の大きさや配置を自在に変更可能であることから、１つの着用物品で様々な用途に対応することが可能となる。
【００２０】
また、熱媒体を供給する熱媒体供給部と、表面側と裏面側との間に前記熱媒体の流路が設けられた可撓性を有するシート部材であって、前記表面側と前記裏面側とのうち少なくとも一方の面がシリコンで形成されたシート部材、を有する熱交換部と、前記熱媒体供給部から熱交換部に前記熱媒体を輸送する経路を有する輸送部と、を備えることを特徴とする加熱装置が明らかとなる。
これにより、肌触りが良くフィット性の高い熱交換面を有し、低コストで容易に製造可能な携帯型加熱装置を提供することができる。
【００２１】
＝＝＝第１実施形態＝＝＝
携帯型冷却装置の一例として、第１実施形態では冷媒として液体を用いた冷却装置１について説明する。
【００２２】
＜冷却装置１の基本的構成＞
はじめに、冷却装置１の基本的な構成について説明する。図１は、第１実施形態の冷却装置１の全体構成を表す図である。図２は、冷却装置１の使用例について説明する図である。
【００２３】
図１に示されるように、冷却装置１は、冷媒供給部１０と、冷却部３０と、冷媒輸送部４０とを備える。冷媒供給部１０と冷却部３０とは冷媒輸送部４０を介して接続されており、冷媒供給部１０から冷却部３０に冷媒（第１実施形態においては液体）を供給することにより冷却部３０を冷却することができる。
【００２４】
冷却装置１は主に人体を局所的に冷却するために用いられる。例えば図２に示されるように、人体の胸部及び背部に配置された冷却部３０に対して冷媒を供給することにより冷却部３０を冷却し、使用者の身体のうち冷却部３０が配置された箇所において熱交換を生じさせて当該箇所の体温を低下させることができる。詳細は後述するが、本実施形態の冷却部３０は、熱交換を行う冷却面として可撓性を有するシート部材を用いているため、身体のあらゆる部位にフィットさせることが可能であり、用途に応じて冷却対象となる部位を自由に変更することができる。
【００２５】
なお、図２は冷却装置１の使用例のうちの一例であり、実際には、腕部や脚部、首筋等様々な部位を冷却するのに使用することができる。また、身体を冷却するだけでなく、冷却部３０を配置できるのであれば他の用途として冷却装置１を使用することもできる。例えば、生鮮食品・飲料の保冷、医療品の保冷、枕やシーツ、ペット用のシート、医療用のベッド等、様々な分野に応用することが可能である。
【００２６】
（冷媒供給部１０）
冷媒供給部１０は、冷却部３０に冷媒を供給する。冷媒供給部１０は、貯留部１１と、接続口１２と、循環ポンプ１３と、バッテリー１４と、を備える。
【００２７】
貯留部１１は冷媒を貯留する容器である。本実施形態では冷媒として液体が用いられ、図１では貯留部１１に貯留された液体が斜線部で示されている。冷媒として用いられる液体は、常温（例えば、摂氏５度〜３０度程度）で液相を保ち、後述する冷却部３０や冷媒輸送部４０の輸送管４１の内部を自由に移動可能な程度に流動性を有し、熱交換が可能な液体であれば種類は限定されない。但し、冷却装置１を人体の冷却用として使用する場合には、人体に対して有害ではない液体であることが望ましい。また、安全性の観点から不揮発性で不燃性の液体であることが望ましい。以下の説明では、冷媒として「水（Ｈ2Ｏ）」を用いるものとする。水は、安定性・安全性に優れ、安価で入手が容易であることから、第１実施形態の冷媒として好適である。貯留部１１は、水を貯留することが可能なタンクであり、例えば、飲料用のペットボトルや水筒を使用することができる。
【００２８】
貯留部１１は上方に開口部が設けられており、当該開口部から冷媒である水を注入したり排出したりすることができる。また、冷却装置１の使用時には、開口部にキャップ１１Ｃが嵌められて貯留部１１の外部に冷媒が漏れ出さないようになっている（図１参照）。さらに、冷媒を冷却するための冷却材が、冷媒とともに貯留部１１に入れられる。この冷却材の量を調整することによって冷媒の温度をある程度調整することが可能である。冷却材としては、例えば水（Ｈ2Ｏ）を凍らせた「氷」が使用される。氷は溶解すると水になるため、上述したように、安全性やコストの面で優れ、また入手も容易である。
【００２９】
接続口１２は、貯留部１１と冷媒輸送部４０とを接続するための接続部であり、接続口１２ｏｕｔ及び接続口１２ｉｎがキャップ１１Ｃに設けられている。接続口１２ｏｕｔは、貯留部１１に貯留された冷媒（液体）を冷媒輸送部４０へ送り出すための出口側の接続部である。接続口１２ｉｎは、冷媒輸送部４０から貯留部１１に冷媒（液体）を戻すための入口側の接続部である。これにより、冷媒供給部１０と冷却部３０との間で液体を循環させることができる。
【００３０】
循環ポンプ１３は、液体を循環させるための動力部である。図１の例では循環ポンプ１３として小型の水中ポンプを貯留部１１の内部に設置している。ポンプの種類や流量は冷却装置１の用途や冷媒の種類に応じて適宜決定されるが、なるべくコンパクトで軽量なポンプであることが望ましい。バッテリー１４は、循環ポンプ１３を駆動するための電力を供給する動力源であり、例えば電池が用いられる。図１の例ではバッテリー１４が貯留部１１の外部に設けられているため、電池交換やメンテナンス等が容易である。但し、バッテリー１４が循環ポンプ１３の内部に収容されるような形態であっても良く、この場合は冷媒供給部１０をよりコンパクトに構成することができる。
【００３１】
（冷却部３０）
冷却部３０は、冷却対象（例えば人体）との間で熱交換を行うことで、冷却対象を冷却する。冷却部３０は、第１シート部材３１及び第２シート部材３２を備える。
【００３２】
図３は、第１シート部材３１の構成について説明する分解図である。第１シート部材３１は、表面側シート３１１と、裏面側シート３１２と、流路チューブ３１３と、留具３１５とを有する。また、説明のため、図３において「厚さ方向」を定義する。厚さ方向は、冷却対象が人体である場合に冷却部３０が人体と接する側の面である肌側（表面側）と、肌側の反対側の面である非肌側（裏面側）とを有する。
【００３３】
表面側シート３１１は、厚さ方向の肌側に配置された可撓性を有するシート部材であり、冷却対象箇所（例えば、人間の肌）と接触することにより該冷却対象箇所を冷却する冷却面として機能する。本実施形態において表面側シート３１１はシリコンによって形成される。なお、本明細書中で言う「シリコン」とはゴム状のシリコン樹脂、所謂「シリコーンゴム」のことである。シリコンは熱伝導性が高く、また耐熱・耐寒性に優れているため、冷却面として使用することで効率的に熱交換を行うことが可能であり、使用する冷媒の温度の高低によらず安定して性能を発揮することができる。また、シリコンのシート部材は非常に柔軟性が高いため、冷却対象物に対して冷却面をフィットさせやすく、人体のような複雑な曲面へのフィット性も良好である。図３では、表面側シート３１１は略矩形状として表されているが、表面側シート３１１の形状や大きさは適宜調整可能である。また、表面側シート３１１の肌側表面、すなわち冷却対象（人体）と直接接触する側の表面には複数の突起部３１１ａが形成されている。一方、表面側シート３１１の非肌側表面は平滑な面であり、突起部３１１ａは設けられていない。
【００３４】
裏面側シート３１２は、流路チューブ３１３を挟んで表面側シート３１１と厚さ方向の反対側（非肌側）に配置された可撓性を有するシート部材である。裏面側シート３１２は表面側シート３１１と同等の大きさ、形状を有する。裏面側シート３１２の材質は必ずしもシリコンでなくても良いが、以下では表面側シート３１１と裏面側シート３１２とが同じ部材であるものとして説明する。つまり、裏面側シート３１２もシリコンによって形成されるものとする。したがって、裏面側シート３１２として表面側シート３１１と同一の部材が使用されるのであっても良い。
【００３５】
流路チューブ３１３は、表面側シート３１１と裏面側シート３１２との間に挟まれて配置される柔軟な管部材であり、管の内部に冷媒（水）を通すことができる。そして、流路チューブ３１３の内部を輸送される冷媒によって冷却対象（人体）との間で表面側シート３１１を介して熱交換を行う。その際、表面側シート３１１（裏面側シート３１２）に対して流路チューブ３１３を蛇行するように配置することで（図３参照）、表面側シート３１１（裏面側シート３１２）のなるべく広い範囲に冷媒を通過させ、冷却可能な範囲の面積を大きくしている。本実施形態では、流路チューブ３１３がシリコンによって形成されている。冷媒の流路がシリコンで形成されることにより、表面側シート３１１と同様、熱伝導性、耐熱・耐寒性、柔軟性等の点で良好な性能を発揮することができる。
【００３６】
留具３１５は、厚さ方向に重ね合わせた表面側シート３１１と裏面側シート３１２とが互いに剥がれないように固定するための部材であり、図３のように、表面側シート３１１（裏面側シート３１２）の周縁部やその内側に複数設けられる。留具３１５としては、平面部材を接合可能な部材、例えばリベットやホック等の市販品を用いることができる。また、着脱自在なスナップボタンを用いても良い。留具３１５は表面側シート３１１（裏面側シート３１２）の表面に露出して人体と接触する可能性があるため、アレルギー等を生じさせるおそれが無く、耐塩性に優れ、ソフトな肌触りを実現できる樹脂製であることが望ましい。但し、表面側シート３１１と裏面側シート３１２とが非常に強固に接着されている場合や流路チューブ３１３の配置がずれる可能性が低い場合には、必ずしも留具３１５が設けられなくても良い。留具３１５の具体的な配置や数量については後述する。
【００３７】
図３に示されるように、第１シート部材３１は、冷媒を輸送するシリコン製の流路チューブ３１３を肌（表面）側から表面側シート３１１で覆い、非肌（裏面）側から裏面側シート３１２で覆って表面側シート３１１と裏面側シート３１２とを重ね合わせ、留具３１５で固定した構造となっている。流路チューブ３１３を挟み込んだ状態で重ね合わせされた表面側シート３１１及び裏面側シート３１２は、シリコンを接着することが可能な接着剤を用いて互いに接合される。溶着や縫製などによらず接着剤を用いることで、第１シート部材３１を簡便かつ安価に短時間で製造することができるようになる。接着剤を用いる場合には、留具３１５を設けなくても両シートは剥がれにくいが、留具３１５を用いることにより、表面側シート３１１及び裏面側シート３１２をより強固に接合することができる。
【００３８】
なお、本実施形態では表面側シート３１１及び裏面側シート３１２が共にシリコンであり、表面がベタついたような「タック感」を生じさせる。そして、表面側シート３１１及び裏面側シート３１２の内側表面同士（すなわち、互いに対向する面同士）が平滑であることから、表面側シート３１１と裏面側シート３１２とを重ね合わせただけでも互いに密着して剥がれにくくなる。したがって、必ずしもシート同士を接着剤で接合しなくても良く、両シートを重ね合わせて留具３１５で固定するだけでも第１シート部材３１として機能を確保することが可能である。
【００３９】
上述したように本実施形態では、表面側シート３１１（裏面側シート３１２）に対して流路チューブ３１３を蛇行するように配置することで冷却可能な範囲の面積を広くしている。一方、流路チューブ３１３は弾性を有する部材（シリコン）で形成されているため、流路チューブ３１３の蛇行状態を真っ直ぐに戻そうとする復元力によって表面側シート３１１（裏面側シート３１２）に対して余計な負荷を生じさせるおそれがある。また、表面側シート３１１と裏面側シート３１２との接合に接着剤を用いない場合などには、冷却装置１の使用中に流路チューブ３１３の位置がずれて冷媒の輸送ルートが変わってしまい、十分な冷却性能が得られなくなるおそれがある。そこで、第１シート部材３１では、流路チューブ３１３の曲げ部をガイドするように留具３１５を配置することで、留具３１５が流路チューブ３１３のずれ止めとしても機能するようにしている。
【００４０】
図４は、流路チューブ３１３及び留具３１５の配置について説明する図である。図４Ａは、流路チューブ３１３が図３と同様のルートで配置されている場合について示している。同図４Ａにおいて、表面側シート３１１（裏面側シート３１２）の４隅に留具３１５が設けられている。矩形状シート部材の４隅に留具３１５を配置することにより、重ね合わせされた表面側シート３１１と裏面側シート３１２とを剥がれにくくしている。なお、シート部材の外縁部に沿ってさらに多くの留具３１５が設けられていても良い。本実施形態では、表面側シート３１１（裏面側シート３１２）の外縁部よりもさらに内側の領域に複数の留具３１５が設けられる。図４Ａの例では、留具３１５Ａ〜留具３１５Ｅの５つの留具が配置されている。そして、留具３１５Ａ〜留具３１５Ｅのそれぞれは、流路チューブ３１３が大きく曲がっている部分（曲げ部）の内側に配置されている。すなわち、流路チューブ３１３は留具３１５Ａ〜留具３１５Ｅを基準として曲げられているような状態となる。これにより、冷却装置１の使用中に流路チューブ３１３の位置がずれてしまうことが抑制され、冷媒の流路形状が維持されやすくなる。
【００４１】
図４Ｂは、流路チューブ３１３のルートを変更した場合の例について示している。同図４Ｂでは、留具３１５Ａ〜留具３１５Ｅの配置は図４Ａの場合と同様であるが、流路チューブ３１３の配置が異なっている。具体的に、流路チューブ３１３は留具３１５Ａ、３１５Ｂ、３１５Ｄ、及び３１５Ｅの部分で曲がるように配置され、留具３１５Ｃの周辺には配置されていない。この場合、図４Ａと比較して表面側シート３１１中で流路チューブ３１３が配置されている領域の割合を小さくすることができる。言い換えると、冷媒の流路面積を小さくすることができる。このように、流路チューブ３１３のルートを変更することによって、第１シート部材３１における熱交換可能な領域の大きさを調整し、冷却部３０の冷却性能を調整することができる。
【００４２】
また、留具３１５の配置や数を変更することにより、流路チューブ３１３のルートの自由度をさらに高くすることも可能である。特に、表面側シート３１１と裏面側シート３１２との接合に接着剤を用いない場合には、表面側シート３１１と裏面側シート３１２とを剥がして流路チューブ３１３の配置を自在に変更することができる。例えば、留具３１５を外して、表面側シート３１１と裏面側シート３１２とを剥がせる状態にした後、裏面側シート３１２から表面側シート３１１を一時的に剥がして、留具３１５が設けられている位置を基準として流路チューブ３１３の配置を変更する。その後、再び表面側シート３１１と裏面側シート３１２とを重ね合わせる。最後に留具３１５により表面側シート３１１と裏面側シート３１２とを固定する。このようにすれば、特別な道具や技術を要することなく、簡単に流路チューブ３１３のルートを変更することができる。
【００４３】
図５は、第１シート部材３１（冷却部３０）の変形例について示す図である。図６は、図５のシート部材の使用例について説明する図である。同図５の例では、表面側シート３１１及び裏面側シート３１２の形状が変更され、矩形状の中央部上側の領域が切り欠かれた略凹型形状となっている。そして、シート部材の形状変更に伴って、留具３１５の数が増えて流路チューブ３１３の配置も変更されている。本実施形態では、表面側シート３１１や裏面側シート３１２の材料としてシリコンシートを使用しているため、容易にカッティングすることが可能であり、第１シート部材３１の形状を自在に変更することができる。さらに、留具３１５の数を増やすことによって、流路チューブ３１３を図５のような複雑なルートとなるように配置することが可能である。すなわち、冷却面の形状変更に応じて流路チューブ３１３のルートも自在に変更することが可能である。このように冷却面の形状を変更すれば、冷却装置１の用途や冷却対象部位に応じて冷却面を最適化することができる。例えば、図６のように、シート部材の切欠き部を使用者の首に当てて固定することにより、冷却面をネックピローのように装着すれば、首回りの部位を局所的にかつ効率的に冷却することができるようになる。また、上述したように、シリコンシートはカッティング等の加工が容易であるため、使用者の身体に応じて切欠き部の大きさを変更したり、切欠き部の形状を変更したりすることも簡単である。なお、冷却部３０の使用例は図２や図６において示された例には限られず、複数のシート部材によって異なる部位を同時に冷却できるような構成にしても良い。例えば、使用者の首回りと頭部とを同時に冷却可能な装置とすることもできる。
【００４４】
また、流路チューブ３１３のルートを変更して冷媒が流れる領域の面積（流路面積）を調整することで、第１シート部材３１における冷却効率を変更することができる。例えば、図５のように流路チューブ３１３の流路を長くして全体の流路面積を大きくすることで、熱交換可能な領域の大きさを増加させれば、第１シート部材３１の広い範囲で効率的な熱交換（冷却）を行うことができるようになる。
【００４５】
第２シート部材３２は、第１シート部材３１とほぼ同等の構成を有する。すなわち、冷媒を輸送する流路チューブと、流路チューブを表面側（肌側）から覆う表面側シートと、流路チューブを裏面側（非肌側）から覆う裏面側シートと、表面側シートと裏面側シートとが重ね合わせされた状態で    固定する留具によって構成されている。第２シート部材３２は第１シート部材３１と同じ大きさであっても良いし、異なる大きさであっても良い。
【００４６】
なお、冷却装置１の冷却部３０は第１シート部材３１のみを有し、第２シート部材３２を有さない構成であっても良い（例えば図６参照）。逆に、３以上のシート部材を有する構成であっても良い。つまり、冷却部３０は少なくとも１以上のシート部材を有していれば良い。
【００４７】
（冷媒輸送部４０）
冷媒輸送部４０は、冷媒供給部１０と冷却部３０とを接続して、冷媒供給部１０から供給された冷媒を冷却部３０へ輸送し、また、熱交換後の冷媒を冷却部３０から冷媒供給部１０へと輸送する。冷媒輸送部４０は輸送管４１とジョイント４２とを有する。
【００４８】
輸送管４１は、冷媒の輸送路となる細長い管である。冷却装置１は、図２に示されるように人体に装着して使用することが想定されているため、輸送管４１は柔軟性を有しつつ耐久性の高い素材で構成されることが望ましい。本実施形態では、輸送管４１はシリコンによって形成されている。ジョイント４２は、輸送管４１の流路を変更したり分岐したりする際に用いられる接続継手である。図１の例では、冷媒の輸送ルートを第１シート部材３１側及び第２シート部材３２側へと分岐させる（若しくは合流させる）ためにジョイント４２が用いられているが、これ以外のジョイントが用いられていても良い。ジョイント４２は、軽量で丈夫な樹脂製であることが望ましく、例えば、市販のチューブ用継手（所謂ミニフィッティング等）を用いることができる。
【００４９】
本実施形態では、冷却部３０の冷却面として第１シート部材３１及び第２シート部材３２の２つのシート部材を有し、冷媒輸送部４０は、当該第１シート部材３１及び第２シート部材３２のそれぞれについて冷媒を輸送する経路を有している。これにより、２つのシート部材に対して同時に冷媒を供給することが可能となる。つまり、複数の冷却面を一度に冷却することが可能となるため、冷却装置の応用範囲を広くすることができる。例えば、異なる部位を一度に冷却したり、冷却性能を落とすことなく冷却面積を広げたりすることが可能となる。なお、冷却装置１が冷却面を３以上備える場合には、輸送管４１の分岐箇所を増やすことにより、複数の冷却面に同時に冷媒を供給することができるようになる。
【００５０】
但し、複数の冷却面に対して同時に冷媒を供給するのではなく、順番に冷媒を供給するようにすることも可能である。例えば、輸送管４１によって第１シート部材３１と第２シート部材３２とを順番に接続して、はじめに第１シート部材３１に冷媒が供給され、続いて第１シート部材３１から排出された冷媒が第２シート部材３２に供給されるような構成としても良い。
【００５１】
＜冷却動作について＞
冷却装置１を用いて冷却を行う際には、まず、貯留部１１に冷媒と冷却材を封入する。上述したように、第１実施形態では、冷媒として「水」、冷却材として「氷」を用いる。そして、冷却対象部位に冷却部３０の第１シート部材３１及び第２シート部材３２を配置した後、循環ポンプ１３のスイッチをＯＮにして循環ポンプ１３を作動させる。
【００５２】
循環ポンプ１３が作動すると、貯留部１１に貯留されていた冷媒（水）が接続口１２ｏｕｔを通過して輸送管４１の内部を輸送され、ジョイント４２において分岐された後、第１シート部材３１側及び第２シート部材３２へと供給される（図１参照）。第１シート部材３１に供給された水は、第１シート部材３１の内部に配置されている流路チューブ３１３の流路に沿って流れる。そして、流路チューブ３１３内を冷媒が流れる間に、当該流路チューブ３１３が配置されている領域を中心として冷却対象（例えば人体）との間で熱交換が行われ、冷却対象が冷却される。第２シート部材３２についても同様である。
【００５３】
熱交換が行われることによって温度が高くなった冷媒（水）は、第１シート部材３１及び第２シート部材３２の出口側流路から輸送管４１へと排出され、ジョイント４２において合流して輸送管４１を輸送され、接続口１２ｉｎから貯留部１１の内部に戻される。そして、貯留部１１の内部の冷却材（氷）によって冷却されることで温度が低くなり、循環ポンプ１３によって冷却部３０側へと再度送り出される。
【００５４】
このように第１実施形態の冷却装置１では、冷却材（氷）によって冷却させた冷媒（水）を循環させて、冷却部３０に低温の冷媒を供給し続けることで、冷却対象物（人体）を効率的に冷却することができる。特に、貯留部１１の冷却材を適宜入れ替えることにより、長時間にわたって冷却動作を持続させることが可能となるため、例えば、炎天下での屋外行動の際の熱中症予防や、発熱時の水枕としての使用等に適している。
【００５５】
冷却部３０の冷却面は、人体と接触する側の面（肌側面）が柔軟なシリコンのシート部材で形成されていることから、肌触りが良くフィット性が高い。さらに、シリコンは耐久性が高く、重金属等の有害な物質を含まず、生理的に不活性であるため、肌に直接接触した場合であってもアレルギー等を引き起こす等の問題を生じにくい安全な素材である。したがって、人体と直接接触する可能性のある冷却面としての使用に適している。一方で、シリコンは材質の特性上、表面がベタついたような「タック感」を生じさせる場合があり、そのようなベタつき感のあるシリコンシートが肌に密着すると、使用者に不快感を生じさせるおそれがある。これに対して、本実施形態では、冷却面を構成する表面側シート３１１の肌側表面に複数の突起部３１１ａが形成されているため、当該突起部３１１ａがシリコンシートと肌との間に適度な隙間を形成し、冷却面が肌に密着することを抑制する。これにより、冷却装置１を長時間使用する場合であっても、使用者に不快感を生じにくくさせることができる。
【００５６】
また、冷却装置１の冷却部３０や冷媒輸送部４０を構成する材料は、主にシリコン製のシートやチューブであり、材料が安価かつ容易に入手可能である。そして、製造の際には特別な設備等を必要とせず、低コストで容易に冷却装置１を製造することができる。
【００５７】
＝＝＝第２実施形態＝＝＝
＜冷却装置１の基本的構成＞
第２実施形態では冷却装置１の冷媒として気体を用いる場合について説明する。図７は、第２実施形態の冷却装置１の全体構成を表す図である。
【００５８】
第２実施形態の冷却装置１の全体構成は、第１実施形態と略同様である。すなわち、冷却装置１は、冷媒供給部１０と冷却部３０と冷媒輸送部４０とを有する。一方、冷媒供給部１０、及び、冷媒輸送部４０の構成の一部が第１実施形態とは異なる。以下、第１実施形態と異なる点を中心に説明する。
【００５９】
（冷媒供給部１０）
第２実施形態の冷媒供給部１０は冷媒スプレー１５を有する。冷媒スプレー１５は、高圧ガスを用いて冷媒となる気体（冷却ガス）を噴霧することが可能な携帯型の缶スプレーである。冷媒スプレー１５の圧力容器内には圧縮された冷媒が気体若しくは液体の状態で充填されており、当該冷媒が冷媒スプレー１５の噴射口から噴射される際に膨張して気体となる。冷媒スプレー１５としては、医療用やスポーツ用として市販されている所謂「冷却スプレー（コールドスプレー）」を使用することが可能である。冷媒はエタノールやＬＰＧ等、圧縮・膨張が可能なガスであれば良いが、不燃性で安全な気体であればより望ましい。「冷却スプレー」自体の構造は公知であるため、説明は省略する。
【００６０】
（冷媒輸送部４０）
第２実施形態の冷媒輸送部４０は、冷媒供給部１０と冷却部３０とを接続して、冷媒供給部１０から供給された冷媒を冷却部３０へ輸送し、また、冷却部３０から冷媒を大気へと排出する。つまり、第２実施形態では、冷却部３０から冷媒供給部１０へと冷媒を戻す必要が無く、冷媒を循環するルートは形成されない。第２実施形態の冷媒輸送部４０は輸送管４１とジョイント４２とコネクタ４３とを有する。
【００６１】
輸送管４１及び接続ジョイント４２の構成は第１実施形態とほぼ同様であるが、上述したように、第２実施形態では冷却部３０から冷媒供給部１０へと冷媒を輸送するルートが不要であり、冷却部３０の冷媒流路の出口側に接続された輸送管４１は大気に解放されている。コネクタ４３は、冷媒スプレー１５の噴射口と輸送管４１とを接続する接続部材であり、冷媒スプレー１５の噴射口の口径に応じて様々なサイズが用意される。
【００６２】
＜冷却動作について＞
第２実施形態の冷却装置１を用いて冷却を行う際には、冷媒供給部１０と冷却部３０とを冷媒輸送部４０によって接続し、冷媒スプレー１５から冷媒（気体）を噴射させる。噴射された冷媒は、輸送管４１の内部を輸送され、ジョイント４２において分岐された後、第１シート部材３１側及び第２シート部材３２へと供給され、当該第１シート部材３１側及び第２シート部材３２の流路チューブ内に沿って流れる。
【００６３】
冷媒スプレー１５の圧力容器内に圧縮されていた冷媒は、冷媒スプレー１５から噴射された後、輸送管４１及び冷却部３０の流路チューブ内を通過する際に膨張して温度が低下する。これにより、冷却部３０において冷却対象との間で熱交換が行われ、冷却対象が冷却される。熱交換後の膨張した冷媒は大気へ排出される。
【００６４】
第２実施形態では、冷媒として気体が用いられ、また、冷媒供給部１０として所謂「冷却スプレー」を使用することが可能であることから、第１実施形態と比較してより簡易かつ軽量な冷却装置を構成することができる。したがって、第１実施形態と同様に肌触りが良くフィット性の高い冷却面を有しつつ低コストで容易に製造可能であることに加えて、
【００６５】
より携帯性に優れた冷却装置を提供することが可能になる。このような冷却装置は、スポーツやレジャー等での断続的な使用に適しており、冷却装置と共に予備の冷却スプレーを携行すれば、比較的長時間の使用にも耐えることができる。
【００６６】
また、第２実施形態の冷却部３０は第１実施形態の冷却部３０とほぼ同様の構成であるため、第１実施形態の冷媒輸送部４０のルートを一部変更するとともに、冷媒供給部１０を取り換えることにより、冷媒として液体若しくは気体を選択的に使用できるようになる。例えば、普段は水を冷媒とする冷却装置として家庭や事務所内などで継続的に使用し、外出時には気体を冷媒とする冷却装置として携帯して短時間だけ使用する等、異なる特性を有する冷却装置を用途に応じて使い分けることも可能である。
【００６７】
＝＝＝第３実施形態＝＝＝
第３実施形態では、衣服等の着用物品に冷却装置１を取り付けて使用する冷却用着用物品について説明する。図８は、冷却装置１を取り付けた着用物品の一例として冷却ベスト５について説明する図である。なお、第１実施形態、第２実施形態のいずれの冷却装置１でも着用物品に取り付けることが可能であるが、図８では、より軽量な第２実施形態の冷却装置１を取り付けた場合について説明する。
【００６８】
図８Ａは、冷却装置１を取り付けた冷却ベスト５の外観斜視図である。図８Ｂは、冷却ベスト５における冷却部３０の配置について説明する図である。第３実施形態では着用物品の裏側（肌と対向する側）に、冷却部３０のシリコンで形成された面（すなわち、上述した表面側シート３１１）が着用者の肌側と対向するように取り付けられ、当該着用物品を着用することにより、着用者の肌と冷却部３０とが接触して熱交換を行うことができるようになっている。図８の例では、第１シート部材３１、第２シート部材３２、及び第３シート部材３３の３つのシート部材が冷却面として設けられている。具体的には、冷却ベスト５の背側部分の中央部の領域５Ｂに第３シート部材３３が取り付けられ、冷却ベスト５の胴側部分の右下方部の領域５ＦＲに第１シート部材３１が取り付けられ、冷却ベスト５の胴側部分の左下方部の領域５ＦＬに第２シート部材３２が取り付けられている。なお、各シート部材は着用物品に対して面ファスナー等の係合部材（例えば、マジックテープ（登録商標）)を用いて着脱可能に取り付けられており、取り付け位置を自在に変更することが可能となっている。図８Ｂでは、斜線部で示されている領域において、各シート部材が冷却ベスト５の裏側に係合されている。
【００６９】
冷却ベスト５では、冷媒輸送部４０の輸送管４１によって、第１シート部材３１と第３シート部材３３とが接続され、第３シート部材３３と第２シート部材３２とが接続されている。また、冷却ベスト５には冷媒供給部１０を収容する収容部５１が設けられる。図８Ａでは、冷却ベストの表側に設けられたポケットが収容部５１の機能を有し、冷媒供給部１０として小型の冷媒スプレー１５が当該ポケットに収容されている。このように、軽量で小型の冷却スプレーを用いれば、冷却ベスト５の着用時に邪魔にならず、着用者に違和感を与えにくくなる。
【００７０】
冷却を行う際には、冷媒供給部１０（図８の場合は冷媒スプレー１５）から冷媒（気体）を噴射させる。噴射された冷媒は、まず輸送管４１によって冷却ベスト５の裏側に取り付けられた第１シート部材３１へと輸送され、第１シート部材３１の内部に配置されている流路チューブ３１３を通過する際に膨張して熱交換を行い、冷却ベスト５の５ＦＲの領域において着用者の身体を冷却する。続いて、冷媒は輸送管４１によって第３シート部材３３へと輸送され、同様に膨張して冷却ベスト５の５Ｂの領域において着用者の身体を冷却する。続いて、冷媒は輸送管４１によって第２シート部材３２へと輸送され、同様に膨張して冷却ベスト５の５ＦＬの領域において着用者の身体を冷却する。その後、冷媒は輸送管４１から外部へと排出される。図８に示される冷媒の輸送ルートは一例であり、冷媒が輸送されるルートは変更されても良い。
【００７１】
また、冷却部３０の各シート部材は冷却ベスト５に対して着脱可能に取り付けられているため、当該シート部材の取り付け位置を変更することで、より効果的に冷却を行うことができるようになる。例えば、心臓の近くを冷却したくない場合に領域５ＦＲのシート部材を下側にずらして取り付けたり、背中側のみを集中して冷却したい場合に領域５Ｂに複数のシート部材を取り付けたりすることが可能である。
【００７２】
このように冷却装置１を取り付けた着用物品によれば、通常の衣服と同様に着用することによって所望の部位を容易に冷却することができるため、日常生活や屋内外での作業等、多くの場面に適用可能である。また、冷却面の大きさや配置を自在に変更可能であることから、１つの着用物品で様々な用途に対応することが可能となる。例えば、冷却面の総面積を増やせば、熱中症患者の緊急冷却や消防士の消防服等にも適用することができる。なお、上述の実施例では着用物品の一例として「ベスト」について説明したが、ベスト以外の着用物品にも冷却装置１を取り付けて使用することができる。
【００７３】
また、本実施形態の着用物品は、裏地に冷却面の係合部材（例えば、上述した面ファスナー）を係合させることが可能であれば、他の部分は通常の衣服と同様である。すなわち、冷媒輸送管を縫い込む等の特別な縫製が必要となったり、製造コストが高くなったりする等の問題は生じにくい。また、着用物品から冷却装置１を取り外せば通常の衣服として日常的に使用することもできる。
【００７４】
＝＝＝その他の実施形態＝＝＝
上述の実施形態は、本発明の理解を容易にするためのものであり、本発明を限定して解釈するためのものではない。本発明は、その趣旨を逸脱することなく、変更・改良され得ると共に、本発明には、その等価物が含まれることは言うまでもない。
【００７５】
＜冷媒の流量について＞
上述の各実施形態において、冷却動作を行う際の冷媒の流量について詳細にコントロールできるようにしても良い。例えば、冷媒として液体を使用する場合には、冷媒供給部１０や、冷媒供給部１０と冷媒輸送部４０との接続部に温度計や流量計を設け、使用者が現在の冷媒の流量を視覚的に確認できるようにしても良い。その際、冷媒の流量を調整することが可能なバルブを設け、当該バルブを操作することにより、冷媒の輸送量を調整できるようにしておくと良い。
【００７６】
また、冷媒として気体を使用する場合にも、上述のようなバルブを設けて冷媒の流量を調整することにより、冷媒（ガス）の無駄な浪費を削減するとともに、冷却時に冷媒スプレー１５を操作しなくても所定流量の冷媒を常時流すことができるようになる。これにより、冷媒スプレー１５を長持ちさせ、長時間冷却装置を使用することができるようになる。
【００７７】
＜冷却部３０構成について＞
上述の各実施形態において、冷却部３０の第１シート部材３１は、図３で説明したように表面側シート３１１と裏面側シート３１２と流路チューブ３１３、及び必要に応じて留具３１５によって構成されていたが、冷却部３０のシート部材が一体的に形成されるのであっても良い。
【００７８】
図９は、冷却部３０の第１シート部材３１が一体的に形成される場合の例について説明する図である。上述したように、冷却部３０はシート部材の表面側と裏面側との間に冷媒の流路が設けられた構造である。そこで、板状の金型にシリコン樹脂を充填して表面側シートと裏面側シートとをそれぞれ射出成型し、両シートを互いに重ね合わせて接合することによって冷却部３０のシート部材を製造する。図９の例では射出成型によって形成された第１シート部材３１の表面側（若しくは裏面側）のシートの状態について表している。つまり、第１シート部材３１を厚さ方向の中央部で半分に切断した状態について表している。シリコン樹脂の射出成型によって同図９で表されるように、板状の平面シートに冷媒の流路となる溝部３１ｄが形成された表面側シート部材が製造される。この表面側シートと同等の裏面側シート部材を製造し、溝部３１ｄが形成された面同士を重ね合わせて接合することにより、シリコン樹脂によって第１シート部材３１を一体的に形成することができる。なお、第１シート部材３１の外側表面に上述した突起部３１１ａが形成されるような金型を使用すると良い。
【００７９】
このように射出成型によって一体的にシート部材を製造するためには、金型や射出成型用の設備等を準備する必要があるため、第１実施形態で説明した製造方法と比較して、初期コストが大きくなりやすい。しかし、はじめに製造設備を整えてしまえば、冷却部３０を短時間で大量生産することが可能となるため、製品単価を低く抑えることができる。
【００８０】
＜加熱装置としての使用について＞
上述の各実施形態では、水や冷却ガスを「冷媒」として用いた冷却装置について説明されていたが、対象を冷却する「冷媒」だけではなく対象を加熱することも可能な「熱媒体」を用いることで、冷却装置１を加熱装置として使用することも可能である。例えば、第１実施形態において冷媒としての「水」の代わりに、熱媒体として「温水」を使用することにより、冷却装置１の構成をそのままに加熱装置として使用することが可能となる。この場合、冷媒供給部１０は熱媒体供給部として機能し、冷却部３０は熱交換部として機能する。また、冷却部３０や冷媒輸送部４０の材料として使用されているシリコンは良好な耐熱特性を有するため、「温水」を使用しても特に問題は生じない。したがって、夏場には冷却装置として使用可能であり、冬場には加熱装置として使用可能な加熱・冷却装置を提供することができる。
【符号の説明】
【００８１】
１  冷却装置、
５  冷却ベスト、
１０  冷媒供給部、
１１  貯留部、１１Ｃ  キャップ、１２  接続口、１２ｉｎ・１２ｏｕｔ  接続口、
１３  循環ポンプ、１４  バッテリー、
１５  冷媒スプレー、
３０  冷却部、
３１  第１シート部材、
３１１  表面側シート、３１１ａ  突起部、３１２  裏面側シート、
３１３  流路チューブ、
３１５  留具、３１５Ａ・３１５Ｂ・３１５Ｃ・３１５Ｄ・３１５Ｅ  留具、
３２  第２シート部材、３３  第３シート部材、
４０  冷媒輸送部、
４１  輸送管、４２  ジョイント、４３  コネクタ、
５１  収容部
【図１】
0006589268.tif 000002
【図２】
0006589268.tif 000003
【図３】
0006589268.tif 000004
【図４】
0006589268.tif 000005
【図５】
0006589268.tif 000006
【図６】
0006589268.tif 000007
【図７】
0006589268.tif 000008
【図８】
0006589268.tif 000009
【図９】
0006589268.tif 000010